(57)【要約】【課題】  光源を含めた照明手段からの照明光の照射位置が部品誤差や組立誤差などでばらついたとしても、フォーカシングスクリーンのスーパーインポーズ表示を行う領域への照明範囲を十分に確保して、視認性の良いスーパーインポーズ表示が可能なファインダー内表示装置を実現する。【解決手段】  光源からの光束を、フォーカシングスクリーンの焦点検出領域表示部に対して反対側となる位置で結像させる。【選択図】  図８
2005062677.tif 000002
【特許請求の範囲】
【請求項１】
複数の焦点検出領域表示部を形成したフォーカシングスクリーンと、前記複数の焦点検出領域表示部に対応した光源と、前記光源からの光束を前記フォーカシングスクリーンに導く光学系とを備えたファインダー内表示装置において、
前記光学系は、前記光源からの光束を前記フォーカシングスクリーンに形成された焦点検出領域表示部とは一致しない位置で結像させることで、前記焦点検出領域部の所定範囲を照明するよう構成されていることを特徴とするファインダー内表示装置。
【請求項２】
前記光源には、ボンディングワイヤーを配した複数のＬＥＤを用いていており、前記複数の焦点検出領域の表示部に応じて複数のＬＥＤを１つの基板に配列したことを特徴とする請求項１に記載のファインダー内表示装置。
【請求項３】
前記光学系は、前記ボンディングワイヤーによる影ができないように、前記光源からの光束を前記フォーカシングスクリーンに形成された焦点検出領域表示部とは一致しない位置で結像させることを特徴とする請求項２に記載のファインダー内表示装置。
【請求項４】
前記光学系は、前記光源からの光束を、前記フォーカシングスクリーンの焦点検出領域表示部に対して反対側となる位置で結像させることを特徴とする請求項１から３のいずれかに記載のファインダー内表示装置。
【請求項５】
複数の焦点検出領域表示部を形成したフォーカシングスクリーンと、前記複数の焦点検出領域表示部に対応した光源と、前記光源からの光束を前記フォーカシングスクリーンに導く光学系とを備えたファインダー内表示装置において、
前記光学系は、前記光源からの光束を平行光束として前記フォーカシングスクリーンに導くことで、前記焦点検出領域部の所定範囲を照明するよう構成されていることを特徴とするファインダー内表示装置。
【請求項６】
前記焦点検出領域表示部の所定部分にだけ、前記光源からの光束を反射する反射領域が形成されていることを特徴とする請求項１から５に記載のファインダー内表示装置。
【請求項７】
前記光学系は、前記反射領域と前記光源からの光束のうち強度が均等である領域とが対応するように、前記光源からの光束を前記フォーカシングスクリーンに導くことを特徴とする請求項６に記載のファインダー内表示装置。
【請求項８】
請求項１から７のいずれかに記載のファインダー内表示装置を有する撮像装置。
【発明の詳細な説明】
【技術分野】
【０００１】
本発明は、ファインダー視野内に設けられた複数の焦点検出領域のうち選択された焦点検出領域を表示する機能を有するカメラ等の撮像装置に関するものである。
【背景技術】
【０００２】
従来、ペンタプリズム前頭部に照明手段を設け、ペンタプリズム内を透過してフォーカシングスクリーン上に設けられた表示体を照明するものがある（例えば、特許文献１参照）。
【０００３】
また、ピント板の近傍に配置された表示板上の表示部を、ペンタプリズムの接眼側上部に配置された照明手段からの照射光で表示部を照明し、反射光がアイポイントに導かれるよう構成されたものがある（例えば、特許文献２参照）。
【特許文献１】特開平４−２７８９３１号公報
【特許文献２】特開２００２−２６８１２８号公報
【発明の開示】
【発明が解決しようとする課題】
【０００４】
フォーカシングスクリーン上の表示体を照明することで、所定の表示を行うことをスーパーインポーズ表示と呼んでおり、このスーパーインポーズ表示を行うためには光源を含めた照明手段からの照明光の照射位置が部品誤差や組立誤差などでばらついたとしても、フォーカシングスクリーン上の表示体を照明できるようにする必要がある。そのため照明手段からの照明光の照明範囲は非常に重要なものであり、適切な照明範囲を設定する必要がある。
【０００５】
また、スーパーインポーズ表示の照明光学系はＬＥＤからの光束をフォーカシングスクリーン上の表示体に結像するような関係となっている。そのため照明用光源として通常良く使われているＬＥＤは構成上、発光部中央にボンディングワイヤーが必須であり、フォーカシングスクリーン上に投影されたＬＥＤ光は投影倍率分大きく照明されるが、ボンディングワイヤー部は照明光を隠すために照明がけられる部分となる。つまりフォーカシングスクリーン上に投影されたＬＥＤ光はドーナツ状またはＣ字型に中抜けのある照明となっている。
【０００６】
このような照明に対して、従来の照明光学系では瞳のケラレにくい照明にすることを目的として、ＬＥＤの近傍に拡散板やドームレンズで擬似的に光源を大きくしている。この拡散板や拡大レンズやドームレンズなどを用いて照明を拡散させることで中抜けの無い照明としていた。
【０００７】
これらの場合、拡散板を用いるものではＬＥＤ照明の光量を大きく落とす原因となり、例えば被写体が高輝度な場合のスーパーインポーズ表示の明るさが不十分となる場合があるため、視認性は悪くなる。また、拡大レンズを用いるものでは１つのＬＥＤ毎に拡大レンズが必要であるため非常に大きなスペースを必要とすることなどの課題を抱えている。
【０００８】
また、拡大レンズを用いるものは有効光束を決めるためのマスク部材と、照明範囲を決めるための投影レンズが必要であり、拡大レンズ（ドームレンズ）と投影レンズの光軸ズレの影響などにより、視認性は悪くなる。
【０００９】
本発明の目的は、前述の課題を解決し、照明用光源の近傍に拡散板や拡大レンズを用いることなく、光源となるＬＥＤと照明手段によりフォーカシングスクリーンの表示部の所定範囲を照明することでスーパーインポーズ表示を行うようにしているものであって、光源を含めた照明手段からの照明光の照射位置が部品誤差や組立誤差などでばらついたとしても、フォーカシングスクリーンのスーパーインポーズ表示を行う領域への照明範囲を十分に確保して、視認性の良いスーパーインポーズ表示が可能なファインダー内表示装置を実現する。
【課題を解決するための手段】
【００１０】
上記目的を達成するために、本発明は、複数の焦点検出領域表示部を形成したフォーカシングスクリーンと、複数の焦点検出領域表示部に対応した光源と、光源からの光束をフォーカシングスクリーンに導く光学系とを備えたファインダー内表示装置において、光学系は、光源からの光束をフォーカシングスクリーンに形成された焦点検出領域表示部とは一致しない位置で結像させることで、焦点検出領域部の所定範囲を照明するよう構成されていることを特徴とするものである。
【００１１】
同様に上記目的を達成するために、本発明は、複数の焦点検出領域表示部を形成したフォーカシングスクリーンと、複数の焦点検出領域表示部に対応した光源と、光源からの光束を前記フォーカシングスクリーンに導く光学系とを備えたファインダー内表示装置において、光学系は、光源からの光束を平行光束としてフォーカシングスクリーンに導くことで、焦点検出領域部の所定範囲を照明するよう構成されていることを特徴とするものである。
【発明の効果】
【００１２】
本発明は照明用光源の近傍に拡散板や拡大レンズを用いることなく、光源と照明手段となるレンズ面を備えた投影レンズによりフォーカシングスクリーンのスーパーインポーズ表示部の所定範囲を照明することでスーパーインポーズ表示を行うようにしているので、拡散板を用いるよりも大幅な照明輝度アップを達成でき、また、光源１つに対して１つの拡大レンズを用いるものよりも大幅な省スペースとコストダウンを達成できる。
【００１３】
更には、光源を含めた照明手段からの照明光の照射位置が部品誤差や組立誤差などでばらついたとしても、フォーカシングスクリーンのスーパーインポーズ表示を行う領域への照明範囲を十分に確保して、視認性の良いスーパーインポーズ表示及びファインダーを実現する。
【発明を実施するための最良の形態】
【００１４】
以下、図面を参照して、本発明を説明する。
【実施例１】
【００１５】
図１は本発明を実施したカメラの中央縦断面図である。１はカメラ本体であり、レンズ群を内部に配置した不図示の鏡筒をマウントに装着することができる。このレンズ群および鏡筒からなる撮影光学系（結像光学系）を通過した被写体光Ｌはカメラ本体１内部の撮像素子ＦＳに向かう。２はメインミラー（ハーフミラー）であり、撮影者が被写体を観察するときには図１に示すように被写体光Ｌの光路上に位置し（ミラーダウン）、撮像素子ＦＳに被写体光Ｌを照射させて撮像を行うときには被写体光Ｌの光路よりも上部に位置する（ミラーアップ）。３はフォーカシングスクリーンである。
【００１６】
メインミラー２が図１に示すミラーダウン位置にあるときには、被写体光Ｌの一部がメインミラー２で反射されてフォーカシングスクリーン３に到達する。フォーカシングスクリーン３の上面３ａはマット面が形成されており、被写体像が投影される。下面３ｂは被写体光を集光するフレネル面が形成されている。４は中空ペンタプリズムであり、フォーカシングスクリーン３のマット面３ａに投影された被写体像を集光正立正像に変更し、使用者は第３反射ミラー５、接眼レンズ群６を介して被写体像を観察できる。
【００１７】
メインミラー２がミラーアップ位置にあるときには、フォーカルプレーンシャッター７を駆動して被写体光ＬによってＣＣＤ等の光電変換素子からなる撮像素子ＦＳを露光する。撮像素子ＦＳの代わりにフィルムを用いた構成であっても構わない。接眼レンズ群６の上部には、被写体輝度を測定するための公知の測光レンズ８と測光センサー９とが配置されている。接眼レンズ群６の下部には、ファインダー視野外に撮影情報を表示するためのファインダー内情報表示用ＬＣＤ１０、ファインダー内情報表示用ＬＥＤ１１、ＬＣＤ１０の透過光をファインダーに導くための三角プリズム１２が配置されている。中空ペンタプリズム４の後頭部には、スーパーインポーズ用の照明手段が配置されているが、詳細は図２および図３で説明する。
【００１８】
メインミラーの背後には、サブミラー１３があり、メインミラー（ハーフミラー）２を透過した光束をカメラボディー下方の焦点検出装置１５へ向けて反射する。焦点検出装置１５は、結像面近傍に配置されたフィールドレンズ１５ａ、反射ミラー１５ｂ、絞り１５ｃ、２次結像レンズ１５ｄ、ＡＦセンサー１５ｆで構成されている。本実施例における焦点検出装置１５は、公知の位相差式を用いており、図３に示すように観察画面内（ファインダー視野内）の複数領域（７箇所）を焦点検出領域として、焦点検出可能となるように構成されている。
【００１９】
アクセサリーシュー１７はカメラ本体の上面でレンズ光軸の真上に設けられており、外付けの閃光発光装置等の接続が可能である。
【００２０】
カメラ内蔵閃光発光装置発光部２０は、Ｘｅ管２０ａ、反射傘２０ｂ、パネル２０ｃ、トリガーコイル２０ｄで構成され、非使用時は図の様に中空ペンタプリズム４の前頭部に配置されており、使用するときには、不図示のヒンジ軸を回転中心に時計方向に回動することで、カメラ上方にポップアップして使用する。
【００２１】
図２は本発明のスーパーインポーズ（フォーカシングスクリーン３のマット面３ａを照明する機構）の照明手段の分解斜視図である。
【００２２】
スーパーインポーズ照明用のＬＥＤ基板３０は、フォーカシングスクリーン３の焦点検出領域に対応する複数の位置（測距点）に対応した７つのチップタイプＬＥＤを配置したもの（各々ＬＥＤ−Ｃ＿３０ａ、ＬＥＤ−Ｌ１＿３０ｂ、ＬＥＤ−Ｌ２＿３０ｃ、ＬＥＤ−Ｒ１＿３０ｄ、ＬＥＤ−Ｒ２＿３０ｅ、ＬＥＤ−Ｔ＿３０ｆ、ＬＥＤ−Ｂ＿３０ｇ）によって構成されている。これらのＬＥＤは１つの基板上に配置されており、省スペースの達成に貢献している。
【００２３】
スーパーインポーズ用プリズム３３はスーパーインポーズ照明用のＬＥＤ基板３０からの照明光束をフォーカシングスクリーン３に投光するためのものであり、照明光束が入射する入射レンズ面３３ａと、射出する射出レンズ面３３ｂと、反射面３３ｃとを一体的に有している。射出レンズ面３３ｂから射出した照明光束を中空ペンタプリズム４の開口４ａから中空ペンタプリズム４内に照明光束を導入して、フォーカシングスクリーン３の各焦点検出領域に照明光を当てるようにしている。なお、入射レンズ３３ａと射出レンズ３３ｂとを一体的に構成することにより、拡大レンズ、マスク、および、投影レンズを用いたもののように拡大レンズと投影レンズの光軸ズレの影響を受けるが無く、照明範囲の照明ムラや照明位置ズレを少なくすることができる。
【００２４】
図３は実際にスーパーインポーズ照明用のＬＥＤ基板３０がフォーカシングスクリーンの焦点検出領域表示部である各焦点検出枠部分を照明する様子を図示した斜視図である。図中の中空ペンタプリズム４と第３反射面５を中央で切断した断面として表示している。さらに同図においてその下側には、中央の焦点検出枠３ａを拡大したものを図示している。同図においてスーパーインポーズ照明用のＬＥＤ基板３０のＬＥＤ−Ｃ＿３０ａは中央焦点検出枠３ａ近傍を、ＬＥＤ−Ｌ１＿３０ｂは左中焦点検出枠３ｂ近傍を、ＬＥＤ−Ｌ２＿３０ｃは左焦点検出枠３ｃ近傍を、ＬＥＤ−Ｒ１＿３０ｄは右中焦点検出枠３ｄ近傍を、ＬＥＤ−Ｒ２＿３０ｅは右焦点検出枠３ｅ近傍を、ＬＥＤ−Ｔ＿３０ｆは上焦点検出枠３ｆ近傍を、ＬＥＤ−Ｂ＿３０ｇは下焦点検出枠３ｇ近傍を、それぞれ照明する。この時の照明範囲は、入射レンズ面３３ａと、射出レンズ面３３ｂの曲面設定により決定され、それぞれのＬＥＤからの照明光束がフォーカシングスクリーンに結像すること無く、適度にボケた状態で照明するようにしている。
【００２５】
照明光は、各焦点検出枠３ａ、３ｂ、３ｃ、３ｄ、３ｅ、３ｆ、３ｇの略中央に位置している反射領域３ｈ、３ｉ、３ｊ、３ｋ、３ｌ、３ｍ、３ｎで反射され、中空ペンタプリズム４、第３反射面５、接眼レンズ群６を介して観察される。拡大図を見れば解るように、中央の焦点検出枠３ａの略中央には、スーパーインポーズのＬＥＤ光を接眼レンズ群６から観察している使用者の目の方向に反射する角度に形成された反射領域３ｈが、同一形状の微細反射面の集合体として形成されている。集合体として形成したのは、必要反射領域全体を１つの面によって構成した場合、高低差が大きくなるため、反射蒸着処理が不均一になってしまい輝度ムラの原因になるからである。使用者から１つのスポットとして認識される反射領域を同一反射角度を持つ微細反射面の集合体として形成したことにより、そのスポット内での高低差の影響を少なくしている。各焦点検出枠の略中央にある反射面の角度は、観察者が良好に見えるように各々最適な角度に設定して配置してある。
【００２６】
また、スーパーインポーズ用ＬＥＤの照明光束は製造上の公差や組立上のばらつき等により照明位置がずれるのを補うように、焦点検出枠を略包括或いは焦点検出枠全体をカバーするように照明されており、焦点検出枠自体はスーパーインポーズ用ＬＥＤの照明光束に対して反射光成分を生成しないようにＬＥＤ光に対してプリズム稜線が略平行に配置されている。このように構成することにより、焦点検出枠の内部を確実に照明できるとともに、焦点検出枠の略中央に配置した反射領域のみが光るようにしているので反射ムラがなく、ファインダー内が煩わしく感じることも無い。
【００２７】
図４は反射領域３ｈの詳細を説明するための縦断面拡大図であり、同一形状の微細プリズム３ｈＳの集合体として形成されている。山形状の斜面３ｈＲが実際の反射面であり、この斜面の角度はスーパーインポーズ照明手段より投光された光束が撮影者の目に届くような角度で形成されている。
【００２８】
図５及び図６を用いて、本発明のスーパーインポーズ用ＬＥＤからの照明光束及び照明範囲について説明するが、ここで従来のスーパーインポーズ用光源となるＬＥＤからの照明光束及び照明範囲について先に図１０及び図１１を用いて説明する。
【００２９】
図１０は従来のスーパーインポーズ用ＬＥＤからの照明光束のイメージ図で、図３に示す中空ペンタプリズム４、第３反射面５、および、フォーカシングスクリーン３の中央を通る面で切断した断面図である。ここでは、ＬＥＤ基板３０からの照明光束が説明しやすいように照明手段であるスーパーインポーズ用プリズム３３０の入射レンズ面３３０ａと、射出レンズ面３３０ｂとを直線状に配置した光学系で示している。
【００３０】
図１１は、従来のスーパーインポーズの照明範囲をフォーカシングスクリーン上に示した平面図であり、図１１（ａ）はフォーカシングスクリーン３上に投影されたスーパーインポーズ用ＬＥＤからの照明光束の照明範囲を示しており、図１１（ｂ）は詳細説明のための中央焦点検出枠３ａ部の拡大図である。
【００３１】
スーパーインポーズ用プリズム３３０はスーパーインポーズ照明用のＬＥＤ基板３０からの照明光束をフォーカシングスクリーン３に投光するためのものであり、照明光束が入射する入射レンズ面３３０ａと、射出する射出レンズ面３３０ｂとで構成されている。ＬＥＤ基板３０の各ＬＥＤはスーパーインポーズ用プリズム３３０の入射レンズ面３３０ａと射出レンズ面３３０ｂを通過する時の曲面設定（レンズパワー）により、ＬＥＤ−Ｃ＿３０ａからの中央焦点検出枠照明光束ＳＩＲ−Ｃ´は中央焦点検出枠照明範囲ＳＩＬ−Ｃ´を照明するように設定されている。この照明光束はスーパーインポーズ用プリズム３３０を通過する光束のうち光軸付近を通る中央光束を実線で、周辺を通る周辺光束を破線で示している。ＬＥＤ−Ｃ＿３０ａからの中央焦点検出枠照明光束ＳＩＲ−Ｃ´は、中央光束の実線と周辺光束の破線がフォーカシングスクリーン上の中央焦点検出枠３ａ付近に結像している。同様に、ＬＥＤ−Ｔ＿３０ｆからの上焦点検出枠照明光束ＳＩＲ−Ｔ´は上焦点検出枠照明範囲ＳＩＬ−Ｔ´でフォーカシングスクリーン上の上焦点検出枠３ｆ付近を、ＬＥＤ−Ｂ＿３０ｇからの下焦点検出枠照明光束ＳＩＲ−Ｂ´は下焦点検出枠照明範囲ＳＩＬ−Ｂ´でフォーカシングスクリーン上の焦点検出枠３ｇ付近を、それぞれ照明するように設定されている。また、ＬＥＤと照明光束は不図示であるが、他のＬＥＤも各々ＬＥＤ−Ｌ１＿３０ｂから左中焦点検出枠照明範囲ＳＩＬ−Ｌ１´でフォーカシングスクリーン上の焦点検出枠３ｉ付近を、ＬＥＤ−Ｌ２＿３０ｃから左焦点検出枠照明範囲ＳＩＬ−Ｌ２´でフォーカシングスクリーン上の焦点検出枠３ｊ付近を、ＬＥＤ−Ｒ１＿３０ｄから右中焦点検出枠照明範囲ＳＩＬ−Ｒ１´でフォーカシングスクリーン上の焦点検出枠３ｋ付近を、ＬＥＤ−Ｒ２＿３０ｅから左焦点検出枠照明範囲ＳＩＬ−Ｒ２´でフォーカシングスクリーン上の焦点検出枠３ｌ付近を、照明するように設定されており、フォーカシングスクリーン上では、図１１（ａ）に示すように各焦点検出枠に対応した照明範囲を照明するようにしている。
【００３２】
スーパーインポーズ用プリズム３３０の入射レンズ面３３０ａと、射出レンズ面３３０ｂの曲面設定は、ＬＥＤ基板３０のＬＥＤ−Ｃ＿３０ａからの照明光束をフォーカシングスクリーン３の中央焦点検出枠３ａ近傍に投影倍率分の拡大投影光束を結像させるような曲面設定としている。つまり光学設計上、フォーカシングスクリーン３の中央焦点検出枠３ａ近傍で照明光束がスポット最小位置となるように設定している。同様にＬＥＤ−Ｔ＿３０ｆは上焦点検出枠３ｆ近傍に、ＬＥＤ−Ｂ＿３０ｇは下焦点検出枠３ｇ近傍に、それぞれ照明光束がスポット最小位置の照明となるように設定している。
【００３３】
このように照明光束をスポット最小位置となるように焦点検出枠近傍を照明して照明光束の瞳結像条件を満足する光学系にすることで、同じ光源であればスーパーインポーズ表示を最も明るくすることが可能になり、観察者の瞳位置が多少動いたとしてもスーパーインポーズ表示が明るく見えるようにしている。
【００３４】
しかし、この従来の構成では図１１（ｂ）に示すように、中央焦点検出枠照明範囲ＳＩＬ−Ｃ´はフォーカシングスクリーン上の中央焦点検出枠３ａと、その略中央に配置された反射領域３ｈの間をドーナツ型またはＣ字型に照明される。これはＬＥＤ基板３０の各ＬＥＤは通常ＬＥＤ発光部の中心にボンディングワイヤーを備えており、ＬＥＤ照明光束はボンディングワイヤー部分のケラレによる影ができるため、このままフォーカシングスクリーン上に投影すると投影倍率分拡大されたＬＥＤ発光部がドーナツ形状もしくはＣ字形状などの中抜けのある形状となって投影されるためである。これは他の焦点検出枠についても同様である。
【００３５】
照明範囲に中抜けが発生しているため、このままではＳＩ表示を行うための反射領域を照明できない場合があるため、従来はＬＥＤの近傍に拡散板や拡大レンズ（ドームレンズ）を配置して、ＬＥＤ光源から出た光束を拡散・拡大することで擬似的に光源を大きくし、照明範囲に中抜けを防止することによって、スーパーインポーズ表示の瞳ケラレが無いようにしている。
【００３６】
しかし、このように拡散板を用いる光学系では、拡散板によってＬＥＤ光源からの光束が広い範囲にわたって拡散されてしまい、焦点検出枠に到達するＬＥＤ照明の光量が減少してしまう。そのため、被写体が高輝度である場合にはスーパーインポーズ表示の視認性が悪くなってしまう。また、拡大レンズ（ドームレンズ）を用いる光学系では、１つのＬＥＤに対して１つの拡大レンズが必要なので、例えば複数の焦点検出枠をスーパーインポーズ表示する場合は、焦点検出枠の数だけ一対のＬＥＤと拡大レンズが必要になるので、非常に大きなスペースを必要とする。また、部品点数が多くなるので、コストの増大を招いてします。
【００３７】
図５及び図６に戻って、本発明のスーパーインポーズ用ＬＥＤからの照明光束及び照明範囲について説明する。
【００３８】
図５は、本発明のスーパーインポーズ用ＬＥＤからの照明光束のイメージ図で、図３に示す中空ペンタプリズム４、第３反射面５、および、フォーカシングスクリーン３の中央を通る面で切断した断面図である。ここでは、ＬＥＤ基板３０からの照明光束が説明しやすいように照明手段であるスーパーインポーズ用プリズム３３０の入射レンズ面３３０ａと、射出レンズ面３３０ｂとを直線状に配置した光学系で示している。
【００３９】
図６は、本発明のスーパーインポーズの照明範囲をフォーカシングスクリーン上に示した平面図である。図６（ａ）はフォーカシングスクリーン３上に投影されたスーパーインポーズ用ＬＥＤからの照明光束の照明範囲を示しており、図６（ｂ）は詳細説明のための中央焦点検出枠３ａ部の拡大図である。
【００４０】
ＬＥＤ基板３０の各ＬＥＤはスーパーインポーズ用プリズム３３の入射レンズ面３３ａと射出レンズ面３３ｂを通過する時の曲面設定（レンズパワー）により、ＬＥＤ−Ｃ＿３０ａからの中央焦点検出枠照明光束ＳＩＲ−Ｃは中央焦点検出枠照明範囲ＳＩＬ−Ｃを、ＬＥＤ−Ｔ＿３０ｆからの上焦点検出枠照明光束ＳＩＲ−Ｔは上焦点検出枠照明範囲ＳＩＬ−Ｔを、ＬＥＤ−Ｂ＿３０ｇからの下焦点検出枠照明光束ＳＩＲ−Ｂは下焦点検出枠照明範囲ＳＩＬ−Ｂを、照明するように設定されている。
【００４１】
詳細には図６（ｂ）に示すようにフォーカシングスクリーン上の中央焦点検出枠３ａと、その略中央に配置された反射領域３ｈを覆うように、スーパーインポーズ用ＬＥＤからの照明光束が中央焦点検出枠照明範囲ＳＩＬ−Ｃを照明している。同様に、上焦点検出枠３ｆと、その略中央に配置された反射領域３ｍを覆うように、スーパーインポーズ用ＬＥＤからの照明光束が上焦点検出枠照明範囲ＳＩＬ−Ｔを照明しており、下焦点検出枠３ｇと、その略中央に配置された反射領域３ｎを覆うように、スーパーインポーズ用ＬＥＤからの照明光束が下焦点検出枠照明範囲ＳＩＬ−Ｂを照明している。
【００４２】
また、ＬＥＤと照明光束は不図示であるが、ＬＥＤ−Ｌ１＿３０ｂから左中焦点検出枠照明範囲ＳＩＬ−Ｌ１を、ＬＥＤ−Ｌ２＿３０ｃから左焦点検出枠照明範囲ＳＩＬ−Ｌ２を、ＬＥＤ−Ｒ１＿３０ｄから右中焦点検出枠照明範囲ＳＩＬ−Ｒ１を、ＬＥＤ−Ｒ２＿３０ｅから左焦点検出枠照明範囲ＳＩＬ−Ｒ２を、照明するように設定されている。
【００４３】
この構成では、スーパーインポーズ用プリズム３３の入射レンズ面３３ａと射出レンズ面３３ｂの曲面設定を、照明光束がフォーカシングスクリーンに対してスポット最小位置にならないように結像位置をずらしたことで、照明光束がフォーカシングスクリーン上でボケた照明として、照明範囲を作り出している。
【００４４】
照明光束をフォーカシングスクリーン上で適度にぼかした照明としたので、フォーカシングスクリーン上に投影されたＬＥＤからの照明光束は投影倍率分大きく照明されることに加えて、照明光束をぼかした分だけ照明範囲が大きくなる。これにより、フォーカシングスクリーン上に投影されたＬＥＤの照明光束は、ＬＥＤ発光部の形状が全体的に拡散した光束に等しい照明光束となる。例えばＬＥＤ発光部がドーナツ型またはＣ字型などになっていても、フォーカシングスクリーン上に投影されたＬＥＤの照明光束は、ドーナツ型またはＣ字型の発光部の内側と外側にぼけた光束が回り込むため、拡散板が無くても中抜けが無く照明範囲を大きくすることができる。
【００４５】
しかし、照明光束をぼかして照射範囲を拡大することは、瞳結像条件が崩れるため、光量分布にムラが発生し、瞳ケラレが発生しやすくなる。特に、照明対象が広い場合は瞳ケラレが顕著に発生し、焦点検出枠内の明るさにムラが発生する可能性がある。
【００４６】
そこで、本発明では、反射領域に到達する光量が一定となるエリアにだけ反射領域を設けることで、反射領域での明るさにムラが発生することを防止している。本実施例では、図３に示すように焦点検出枠の中央部にだけ反射領域を形成している。
【００４７】
このように構成した照明は、従来の拡散板を用いたもののようにＬＥＤ照明の光量を大きく落とすことがないため、例えば被写体が高輝度な場合でもスーパーインポーズ表示の明るさを十分な明るさにできるため、視認性は良くなる。
【００４８】
また、上述したように、スーパーインポーズ用ＬＥＤの照明光束は焦点検出枠を包括或いは焦点検出枠全体をカバーするように照明しているが、焦点検出枠自体はスーパーインポーズ用ＬＥＤの照明光束に対して反射光成分を生成しないように構成されている。これにより、ＬＥＤ光源からの光量が少ない焦点検出枠が中途半端に明るく照明されることを防ぎ、視認性を高めている。
【００４９】
また、従来の拡大レンズ（ドームレンズ）を用いたもののように、焦点検出枠の数だけＬＥＤと一対の拡大レンズが必要なく、複数の焦点検出枠に対応した同数のＬＥＤを１つの基板上に配列したＬＥＤ基板と、照明手段となるレンズ部材を用いるだけなので、大きなスペースを必要とせず、部品点数が少ないので、省スペース、低コストを達成している。
【００５０】
ＬＥＤ基板３０からの照明光束は、ＬＥＤ−Ｃ＿３０ａからの中央焦点検出枠照明光束ＳＩＲ−Ｃが中央焦点検出枠３ａに到達するまでの光路長を基準に、照明範囲が所定の大きさとなるように設計されている。ＬＥＤ基板３０には複数のＬＥＤが二次元方向に配置されており、照明手段とともにファインダー光路外に配置されているため、ファインダースクリーン３のマット面３ａに対して斜めから照明光を照射するようになっている。そのため、上焦点検出枠照明光束ＳＩＲ−Ｔと下焦点検出枠照明光束ＳＩＲ−Ｂでは、光路長に差が生じることになる。つまり、中央焦点検出枠照明光束ＳＩＲ−Ｃが中央焦点検出枠３ａに到達するまでの光路長の対して、上焦点検出枠照明光束ＳＩＲ−Ｔが上焦点検出枠３ｆに到達するまでの光路長は長く、下焦点検出枠照明光束ＳＩＲ−Ｂが下焦点検出枠３ｇに到達するまでの光路長は短くなっている。このような場合、上焦点検出枠照明光束ＳＩＲ−Ｔは光路長が長いので、上焦点検出枠３ｆよりも照明位置が上側にずれることになる。また、下焦点検出枠照明光束ＳＩＲ−Ｂは光路長が短いので、上焦点検出枠３ｇよりも照明位置が下側にずれることになる。そのため本発明では、スーパーインポーズ用プリズム３３の射出レンズ面３３ｂから各焦点検出枠までの光路長の差を、入射レンズ面３３ａからＬＥＤ基板３０の各ＬＥＤまでの光路長の差が同じ比率となるようにしている。具体的にはＬＥＤ基板３０の傾きを所定傾き量θだけ傾けることで光路長の差を補正して配置するようにしている。
【００５１】
本実施例では光源をＬＥＤとしているが、ＬＥＤに限った話ではなく他のパターン光源や液晶光源などどのような光源でも良く、投影された照明範囲にかげりが生じる照明光学系に適用できる。更には投影された照明範囲にかげりが生じる照明光学系でなくても、光源にごみなどが付着したことで照明範囲にかげりが生じた場合でも有効な照明光学系である。
【００５２】
ここで本発明のスーパーインポーズ表示の明るさをアップさせた効果を、実験結果を元にして具体的に説明する。
【００５３】
図７はその実験結果のグラフであり、光源となるＬＥＤを同条件で駆動した場合の、従来の拡散板を用いた光学系と、本発明である照明光のスポット最小位置をずらして照射範囲を拡大した光学系と、照明光をスポット最小位置とした光学系でのスーパーインポーズ表示を良好に視認出来るようにするためのＬＥＤ発光輝度の比較を行っている。
【００５４】
図７のグラフ中、三角マークで表されている従来の拡散板を用いた光学系では、被写体輝度がＥＶ１３の時にスーパーインポーズ表示のＬＥＤ発光輝度が最大となることが実験結果として得られている。つまりＥＶ１３よりも被写体輝度が高くなってもスーパーインポーズ表示の照明輝度を高くすることが出来ないので、被写体輝度がＥＶ１３よりも高くなるにつれてスーパーインポーズ表示の明るさが相対的に暗く感じるようになる。これは拡散板で所望の照明範囲を得ようとすると、拡散板によって広い範囲にわたって照明光が拡散してしまい、照明範囲に到達する照明光が減少するためである。
【００５５】
図７のグラフ中、四角マークで表されている本発明である照明光のスポット最小位置をずらして照射範囲を拡大した光学系では、スーパーインポーズ表示を良好に視認出来るようにするためのＬＥＤ発光輝度は、被写体輝度がＥＶ１５の時にスーパーインポーズ表示のＬＥＤ発光輝度が最大となることが実験結果として得られている。この結果より、従来の拡散板タイプよりも照明光のスポット最小位置をずらすタイプの方が約ＥＶ２相当、被写体輝度が高くなってもスーパーインポーズ表示を明るく表示できることがわかる。これは拡散板を用いた場合に比較して、多くの照明光が照明範囲に到達させることができるためである。
【００５６】
ただし、図７のグラフ中、菱形マークで表されている照明光をスポット最小位置とした光学系では、スーパーインポーズ表示を良好に視認出来るようにするためのＬＥＤ発光輝度は、被写体輝度がＥＶ１６の時にスーパーインポーズ表示のＬＥＤ発光輝度が最大となることが実験結果として得られている。これは照明光のスポット最小位置をずらすタイプよりも約ＥＶ１相当、被写体輝度が高くなってもスーパーインポーズ表示を明るく表示できることを示している。つまり、照明光のボケによる照射範囲の拡大により約ＥＶ１相当暗くなると言う事である。ただし、この構成では、組み付け誤差等によって照明光の照明位置がばらついた場合、スーパーインポーズ表示を行う反射領域を十分に覆うことが出来なくなるので良好なスーパーインポーズ表示を保証することは難しい。
【００５７】
以上の理由により、本発明のスーパーインポーズ表示の照明範囲を、照明光のボケにより照射範囲を拡大するボケタイプは、スーパーインポーズ表示の照明輝度を従来よりも高くするとともに、照明光の照明位置がばらついた場合でもスーパーインポーズ表示を行う反射領域を十分に覆う照明範囲を有するバランスの良いスーパーインポーズ表示の照明方式と言える。
【００５８】
図８は本発明で行っている照明光のスポット最小位置とする光束の位置を光軸方向にずらすことで適度にボケた照明範囲を得るための具体的な方法を示した断面図である。
【００５９】
基本的な構成および機能は図５と同じであるため、同様の部分は説明を省く。スーパーインポーズ用プリズム３３の入射レンズ面３３ａと射出レンズ面３３ｂの曲面設定を、ＬＥＤ基板３０の各ＬＥＤからの照明光が、ファインダースクリーンに対して照明手段のある側と対向する側に中央光束結像ポイントＰ−Ｃを設定し、照明光束がこの中央光束結像ポイントＰ−Ｃに達した時にスポット最小位置となるように設定することで適度にボケた照明範囲を得ている。具体的には、ＬＥＤ−Ｃ＿３０ａからの中央焦点検出枠照明光束ＳＩＲ−Ｃ１は中央焦点検出枠３ａおよびその付近を、ＬＥＤ−Ｔ＿３０ｆからの上焦点検出枠照明光束ＳＩＲ−Ｔ１は上焦点検出枠３ｆおよびその付近を、ＬＥＤ−Ｂ＿３０ｇからの下焦点検出枠照明光束ＳＩＲ−Ｂ１は下焦点検出枠３ｇおよびその付近を、照明するように設定されている。この照明光束はスーパーインポーズ用プリズム３３を通過する光束のうち光軸付近を通る中央光束を実線で、周辺を通る周辺光束を破線で示している。つまり、ＬＥＤ−Ｃ＿３０ａからの中央焦点検出枠照明光束ＳＩＲ−Ｃ２は、中央光束の実線が中央光束結像ポイントＰ−Ｃに達した時に、周辺光束の破線は中央光束結像ポイントＰ−Ｃに結像するようにすることで、ファインダースクリーン上の中央焦点検出枠３ａ付近を照明している。各ＬＥＤからの照明光が、ファインダースクリーンに対して照明手段のある側と対向する側に結像ポイントを有することで、スーパーインポーズ用プリズム３３の入射レンズ面３３ａと射出レンズ面３３ｂの曲率を小さく抑えることができ、レンズの収差を抑えて照明範囲を略均一な輝度で照明できるという利点がある。ちなみに、入射レンズ面３３ａと射出レンズ面３３ｂの曲率を大きくしてレンズのパワーを強くした場合は、レンズの収差が多くなりボケが汚くなるので、照明範囲がムラのある照明となる。更に、これら入射レンズ面３３ａと射出レンズ面３３ｂの曲面設定を変えることにより、所望の照明範囲を設定することができる。
【００６０】
同様に、ＬＥＤ−Ｔ＿３０ｆからの上焦点検出枠照明光束ＳＩＲ−Ｔ１は上光束結像ポイントＰ−Ｔ付近で、ＬＥＤ−Ｂ＿３０ｇからの下焦点検出枠照明光束ＳＩＲ−Ｂ１は下光束結像ポイントＰ−Ｂ付近で、それぞれ周辺光束の破線は結像してスポット最小位置となるように設定されている。
【００６１】
図９は本発明の第二の実施例の具体的な方法を示した断面図である。
【００６２】
基本的な構成、機能は図５と同じであるため、同様の部分は説明を省き新しい部分のみ説明を行う。スーパーインポーズ用プリズム３４の入射レンズ面３４ａと射出レンズ面３４ｂの曲面設定を、ＬＥＤ基板３０の各ＬＥＤからの照明光がスポット最小位置を持たない（光束が交わらない）略平行光となるように設定して、更にスーパーインポーズ用プリズム３４の入射レンズ面３４ａの前側か、もしくは射出レンズ面３４ｂの後側に照明光束の大きさを制限するマスク部材を設けることで適度にボケた照明範囲を得ている。具体的には入射レンズ面３４ａの前側に前側マスクＭ１、もしくは射出レンズ面３４ｂの後側に後側マスクＭ２の少なくとも１つを設ける。また、この前側マスクＭ１及び後側マスクＭ２のマスク開口部の大きさは、フォーカシングスクリーン上で照明光束が所定の照明範囲となるように設定されている。このように構成されたことで、ＬＥＤ−Ｃ＿３０ａからの中央焦点検出枠照明光束ＳＩＲ−Ｃ２は中央焦点検出枠３ａ付近を、ＬＥＤ−Ｔ＿３０ｆからの上焦点検出枠照明光束ＳＩＲ−Ｔ２は上焦点検出枠３ｆ付近を、ＬＥＤ−Ｂ＿３０ｇからの下焦点検出枠照明光束ＳＩＲ−Ｂ２は下焦点検出枠３ｇ付近を、照明するように設定されている。この照明光束はスーパーインポーズ用プリズム３４を通過する光束のうち光軸付近を通る中央光束を実線で、周辺を通る周辺光束を破線で示している。つまり、ＬＥＤ−Ｃ＿３０ａからの中央焦点検出枠照明光束ＳＩＲ−Ｃ２は、中央光束の実線が図８で示した中央光束結像ポイントＰ−Ｃと同じ位置である中央光束結像ポイントＰ−Ｃ２に達した時、周辺光束の破線は中央光束結像ポイントＰ−Ｃ２に結像すること無く略平行光とすることで、ファインダースクリーン上の中央焦点検出枠３ａ付近を照明している。同様に、ＬＥＤ−Ｔ＿３０ｆからの上焦点検出枠照明光束ＳＩＲ−Ｔ２は上光束結像ポイントＰ−Ｔ２付近で、ＬＥＤ−Ｂ＿３０ｇからの下焦点検出枠照明光束ＳＩＲ−Ｂ２は下光束結像ポイントＰ−Ｂ２付近で、それぞれ周辺光束の破線は結像すること無く略平行光として照明するように設定されている。
【００６３】
また、ＬＥＤによる照明範囲は少なくとも反射領域を覆うとともに、隣接する焦点検出領域表示部の反射領域に掛からない範囲となるように設定されている。ＬＥＤからの照明光の照射位置が部品誤差や組立誤差などでばらついたとしても、フォーカシングスクリーンの表示部への照明範囲を十分に確保し、隣接するフォーカシングスクリーンの表示部を照明することが無いので、視認性の良いスーパーインポーズ表示及びファインダーを実現することが可能となる。
【図面の簡単な説明】
【００６４】
【図１】本発明の実施例の全体構成を示した中央縦断面図
【図２】本発明の実施例を示したスーパーインポーズの照明手段の分解斜視図
【図３】本発明の実施例を示した斜視図と中央焦点検出枠の拡大図
【図４】本発明の実施例を示した反射領域の拡大図
【図５】本発明の実施例を示した照明光束の縦断面図
【図６】本発明の実施例を示した照明範囲の平面図および拡大図
【図７】本発明の実施例を示した照明輝度の特性図
【図８】本発明の実施例を示した照明光束の縦断面図
【図９】本発明の第二の実施例を示した照明光束イメージの縦断面図
【図１０】従来の実施例を示した照明光束の縦断面図
【図１１】従来の実施例を示した照明範囲の平面図および拡大図
【符号の説明】
【００６５】
１  カメラ本体
２  メインミラー
３  フォーカシングスクリーン
４  中空ペンタプリズム
５  第３反射ミラー
６  接眼レンズ群
７  フォーカルプレーンシャッター
８  測光レンズ
９  測光センサー
１０  ファインダー内情報表示用ＬＣＤ
１１  ファインダー内情報表示用ＬＥＤ
１２  三角プリズム
１３  サブミラー
１５  焦点検出装置
１７  アクセサリーシュー
２０  内蔵閃光発光装置の発光部
３０  ＬＥＤ基板
３３  スーパーインポーズ用プリズム
３４  第二の実施例のスーパーインポーズ用プリズム
【図１】
2005062677.tif 000003
【図２】
2005062677.tif 000004
【図３】
2005062677.tif 000005
【図４】
2005062677.tif 000006
【図５】
2005062677.tif 000007
【図６】
2005062677.tif 000008
【図７】
2005062677.tif 000009
【図８】
2005062677.tif 000010
【図９】
2005062677.tif 000011
【図１０】
2005062677.tif 000012
【図１１】
2005062677.tif 000013